(57)【要約】【課題】  使用時に空気排出口から空気を排出できるようにして燃焼物に悪影響を与えることなく燃焼を行なわせるようにし、非使用時に空気排出口を覆って収容空間内への雨水等の侵入を確実に防止できるようにする。【解決手段】  台板１，側壁２及び天板３とで燃焼物が入れられて燃焼させられる収容空間４を形成し、側壁２の前側に収容空間４に燃焼物Ｆを入れるための開口５を形成し、開口５に開閉可能な扉部３０を設け、台板１に、収容空間４内に燃焼空気を取入れる空気取入口１０を形成し、天板３に、収容空間４内から空気を排出する空気排出口２０を形成し、空気排出口２０を覆って天板３に載置可能な蓋体４０を設け、蓋体４０を、開放口４１及び底部４２を有したカップ状に形成され、開放口４１端縁及び底部４２の両方を天板３に載置可能に形成した。【選択図】  図１
0003121075.tif 000002
【実用新案登録請求の範囲】
【請求項１】
台板と、該台板に立設される側壁と、該側壁の上部に設けられる天板とで燃焼物が入れられて燃焼させられる収容空間を形成し、上記側壁の前側に上記収容空間に上記燃焼物を入れるための開口を形成し、該開口に開閉可能な扉部を設け、上記台板に、上記収容空間内に燃焼空気を取入れる空気取入口を形成し、上記天板に、上記収容空間内から空気を排出する空気排出口を形成した墓用灯明台において、
上記空気排出口を覆って上記天板に載置可能な蓋体を設け、該蓋体を、開放口及び底部を有したカップ状に形成し、上記開放口端縁及び底部の両方を上記天板に載置可能に形成したことを特徴とする墓用灯明台。
【請求項２】
上記空気排出口に、排出される空気を導く排気塔を突設し、上記蓋体を、上記排気塔を収容できる大きさに形成したことを特徴とする請求項１記載の墓用灯明台。
【請求項３】
上記蓋体を、上記開放口端縁及び底部の両方を平面に形成したことを特徴とする請求項１または２記載の墓用灯明台。
【請求項４】
上記蓋体を、円筒形状に形成したことを特徴とする請求項１，２または３記載の墓用灯明台。
【請求項５】
上記蓋体を、石で形成したことを特徴とする請求項１，２，３または４記載の墓用灯明台。
【請求項６】
上記蓋体の表面を研磨して光沢を持たせたことを特徴とする請求項１，２，３，４または５記載の墓用灯明台。
【考案の詳細な説明】
【技術分野】
【０００１】
本考案は、墓に隣接して設置される墓用灯明台に係り、特に、墓参時に雨や風の影響を受けることなくロウソクや線香等の燃焼物を燃焼させることのできる墓用灯明台に関する。
【背景技術】
【０００２】
従来、この種の墓用灯明台としては、先に、本願出願人が提案したものがあり、例えば、特許文献１（特開平１０−８７７５号公報）に記載されたものが知られている。
【０００３】
図６に示すように、墓用灯明台は、台板１と、台板１に立設される側壁２と、側壁２の上部に設けられる天板３とで燃焼物Ｆが入れられて燃焼させられる収容空間４を形成してなる。
側壁２の前側には、収容空間４にロウソクＦ1や線香Ｆ2等の燃焼物Ｆを入れるための開口５が形成されている。また、開口５に開閉可能な扉部３０が設けられている。更に、台板１には、収容空間４内に燃焼空気を取入れる空気取入口１０が形成されるとともに、天板３に、収容空間４内から空気を排出する空気排出口２０を形成した構成としている。空気排出口２０には、排出される空気を導く排気塔２１が設けられている。
排気塔２１は、空気排出口２０に差し込まれる差込部２２と、差込部２２に連設され筒状かつ網状に形成されて空気を通過させる網状体２３と、網状体２３に被冠された屋根部２４とを備えて構成されている。また、差込部２２と網状体２３との境界部には、差込部２２と空気排出口２０との隙間を覆う鍔２６が設けられている。
【０００４】
この墓用灯明台を用いるときは、例えば、扉部３０の扉を開けて、収容空間４内に、ロウソクＦ1をロウソク立て１１を介して台板１の上面に載置し、点火する。次に、ロウソクＦ1の火を利用するなどして線香Ｆ2に点火し、線香立て１２に立て、これらを燃焼させる。そして、扉部３０の扉を閉める。この場合、ロウソクＦ1は、収容空間４内にあるので、風雨の影響で消えにくくなる。そのため、燃焼物Ｆが円滑に燃焼できる。
また、ロウソクＦ1の火が消えにくいので、線香Ｆ2に点火しやすくなる。このロウソクＦ1や線香Ｆ2が燃焼していると、空気が空気取入口１０から流入し、空気排出口２０から排気されていく。
また、排気塔２１に、屋根部２４を被冠し、差込部２２と空気排出口２０との隙間を覆う鍔２６を設けたので、収容空間４内への雨水の侵入や木の葉等のごみの侵入が防止される。
【０００５】
【特許文献１】特開平１０−８７７５号公報
【考案の開示】
【考案が解決しようとする課題】
【０００６】
ところで、このような墓用灯明台にあっては、天板３に設けた空気排出口２０には、排気塔２１が設けられており、収容空間４内への雨水の侵入等の防止が図られてはいるが充分でなく、激しい雨や風雨のときなどには、少なからず、網状部２３から雨水が収容空間４内に侵入し、収容空間４を汚損してしまうという問題があった。
【０００７】
本考案は上記の問題点に鑑みて為されたもので、使用時に空気排出口から空気を排出できるようにして燃焼物に悪影響を与えることなく燃焼を行なわせるようにし、非使用時に空気排出口を覆って収容空間内への雨水等の侵入を確実に防止できるようにした墓用灯明台を提供することを目的とする。
【課題を解決するための手段】
【０００８】
このような目的を達成するための本考案の墓用灯明台は、台板と、該台板に立設される側壁と、該側壁の上部に設けられる天板とで燃焼物が入れられて燃焼させられる収容空間を形成し、上記側壁の前側に上記収容空間に上記燃焼物を入れるための開口を形成し、該開口に開閉可能な扉部を設け、上記台板に、上記収容空間内に燃焼空気を取入れる空気取入口を形成し、上記天板に、上記収容空間内から空気を排出する空気排出口を形成した墓用灯明台において、上記空気排出口を覆って上記天板に載置可能な蓋体を設け、該蓋体を、開放口及び底部を有したカップ状に形成し、上記開放口端縁及び底部の両方を上記天板に載置可能に形成した構成としている。
【０００９】
ここでいう燃焼物とは、墓参時に燃やされるロウソク，線香等のことである。
この墓用灯明台を用いるときは、先ず、蓋体を、空気排出口から取り外し、例えば、天板の一般部上に載置する。次に、収容空間内で燃焼物に点火する。この場合、燃焼物は収容空間内にあるので、風や雨の影響で消えにくくなる。
この際、収容空間内においては、空気取入口が台板に形成され、排気塔が天板に設けられているので、空気が下から上に向かう上昇気流となり、空気の換気が円滑に行なわれる。そのため、空気の流れが良いことから燃焼物の燃焼が良く行なわれる。
【００１０】
また、蓋体はカップ状に形成されているので、内部に砂等の粒状物を入れ、その底部を例えば、天板の上面に載置すると、蓋体を線香立てとして用いることができる。この際、墓参者が多く収容空間内の線香立てに立てきれなくなるような場合においては、蓋体にも線香を立てることができるので、容易に線香を墓前に捧げられる。
その後、墓参を終えたならば、ロウソク等の燃焼物を消すなどし、空気排出口を蓋体で覆う。この状態においては、激しい雨や風雨の場合であっても、蓋体で空気排出口全体が覆われ、雨水が蓋体で遮られる。これにより、雨水が空気排出口に入り込まなくなり、雨水等の侵入を確実に防止できる。
【００１１】
また、必要に応じ、上記空気排出口に、排出される空気を導く排気塔を突設し、上記蓋体を、上記排気塔を収容できる大きさに形成した構成としている。
これにより、排気塔が煙突として機能し、そのため、より一層、空気の換気が円滑に行なわれる。また、蓋体をその内部に排気塔を収容できる大きさに形成したので、蓋体で空気排出口を確実に覆うことができる。
更に、必要に応じ、上記蓋体の開放口端縁及び底部の両方を平面に形成した構成としている。これにより、簡単な構造で、開放口端縁及び底部の両方を天板に載置可能に形成することができ、製造コストを低減することができる。
【００１２】
更にまた、必要に応じ、上記蓋体を、円筒形状に形成している。望ましくは、上記蓋体を、石で形成した構成としている。更に望ましくは、上記蓋体の表面を研磨して光沢を持たせている。これにより、蓋体の外観品質の向上を図ることができ、墓用灯明台全体としても外観品質が良好になる。
【考案の効果】
【００１３】
本考案の墓用灯明台によれば、開放口及び底部を有したカップ状に形成され、開放口端縁及び底部の両方が天板に載置可能に形成され、少なくとも開放口側で空気排出口を覆って天板に載置可能な蓋体を設けたので、墓参を終えた後に空気排出口を蓋体で覆うと、非墓参時において、蓋体で空気排出口全体が覆われるようになり、雨水などの侵入を確実に防止できる。
更に、収容空間内においては、空気取入口が台板に形成され、排気排出口が天板に設けられているので、空気が下から上に向かう上昇気流となり、空気の換気が円滑に行なわれる。そのため、空気の流れが良いことから燃焼物の燃焼が良く行なわれる。
また、内部に砂等の粒状物を入れ、空気排出口を覆っている蓋体をその底部を天板の上面に載置すると、蓋体を線香立てとして用いることができる。
【考案を実施するための最良の形態】
【００１４】
以下、添付図面に基づいて、本考案の実施の形態に係る墓用灯明台について詳細に説明する。尚、従来の墓用灯明台と同じものには同一の符号を付している。
【００１５】
図１乃至図５には、墓用灯明台を示している。この墓用灯明台は、石製の台板１と、台板１に立設される石製の側壁２と、側壁２の上部に設けられる石製の天板３とを備え、この台板１，側壁２及び天板３により形成されロウソクＦ1や線香Ｆ2等の燃焼物Ｆが入れられて燃焼させられる収容空間４を有している。
【００１６】
台板１は、略矩形板状に形成され上面が平面に形成され、図１，図３及び図４に示すように、燃焼物ＦとしてのロウソクＦ1がロウソク立て１１を介して載置されるように形成されている。また、中央後部には、燃焼物Ｆとしての線香Ｆ2が燃焼状態で立てられるカップ状の線香立て１２が嵌挿される嵌挿口１３が形成されている。台板１の前面には模様を形成する凹部１４が形成されている。
また、台板１には、収容空間４内に燃焼空気を取入れる空気取入口１０が形成されている。空気取入口１０は、台板１の中央前側であって嵌挿口１３の前側に、軸線を垂直とする断面円形に形成されている。また、台板１の下側に、凹部１４と空気取入口１０とを連通する空気通路１５が形成されており、空気が凹部１４から空気通路１５及び空気取入口１０を通って収容空間４内に導入されるようにしている。
【００１７】
側壁２は、横断面コ字状に形成されて前側が開放されている。そして、側壁２の前側には、収容空間４に燃焼物Ｆを入れるための開口５が形成されている。開口５は、台板１，側壁２及び天板３とで形成されている。
天板３は、略矩形板状に形成されている。この天板３には、収容空間４から空気を排出する軸線を垂直とする断面円形の空気排出口２０が形成されている。この空気排出口２０には、排出される空気を導く金属製の排気塔２１が設けられている。
【００１８】
排気塔２１は、図１，図４及び図５に示すように、空気排出口２０に差し込まれる筒状の差込部２２と、差込部２２に連設され筒状かつ網状に形成されて空気を通過させる網状体２３と、網状体２３に被冠された屋根部２４とを備えて構成されている。差込部２２の外側には、空気排出口２０の内面に弾接して差込部２２を押えるばね部材２５が等角度関係で複数（実施の形態では４つ）設けられている。また、差込部２２と網状体２３との境界部には、差込部２２と空気排出口２０との隙間を覆う鍔２６が設けられている。
更に、天板３の内側面には、遮熱材２７が被覆されている。この遮熱材２７は、アルミニウム等の金属製のテープであって、天板３の内側面に接着剤を介して貼着されている。その他、遮熱材２７としては、表面が鏡面の金属板や石綿等、適宜のものが用いられる。
【００１９】
また、開口５には、開閉可能な扉部３０が設けられている。また、天板３に、収容空間４内から空気を排出する空気排出口２０が形成されている。
扉部３０は、開口５に嵌着される金属製の枠体３１と、枠体３１にヒンジ３２を介して開閉可能に設けられる扉３３とから構成されている。扉３３は金属製の枠状フレーム３４と、このフレーム３４に嵌込まれ収容空間４内が見えるガラス板や樹脂板からなる透明板３５とから構成されている。３６は閉じた扉３３のフレーム３４の端部を拘束しておくマグネット型のロック部、３７は開閉させるためのノブである。枠体３１の外縁部であって下縁及び両側縁には外向きのフランジ３８が形成されており、開口５の開口５縁部であって台板１及び側壁２には枠体３１のフランジ３８が嵌合する嵌合溝３９が形成されている。そして、このフランジ３８が嵌合溝３９に嵌合させられることにより、扉部３０が開口５に固定される。
【００２０】
また、空気排出口２０を覆って天板３に載置可能な蓋体４０が設けられている。この蓋体４０は、開放口４１及び底部４２を有したカップ状に形成され、開放口４１端縁及び底部４２の両方が天板３に載置可能に形成されている。
蓋体４０は、図１乃至図５に示すように、石により円筒形状に形成され、内部に排気塔２１を収容できる大きさに形成されている。また、開放口４１端縁及び底部４２の両方が平面に形成されている。更に、蓋体４０の表面は、研磨されて光沢が持たせられている。
更にまた、蓋体４０は、底部４２を下にして天板３に載置した状態で、その内部に砂等の粒状物を溜めるようにし、これ自体が線香立て１２として用いることができる。
【００２１】
従って、墓参時等の際にこの墓用灯明台を用いるときは、例えば、図３，図４及び図５に示すように、先ず、空気排出口２０を覆っている蓋体４０をその底部４２を天板３の上面に載置する。扉部３０の扉３３を開いて、燃焼物ＦとしてのロウソクＦ1をロウソク立て１１を介して台板１の上面に載置し、点火する。次に、このロウソクＦ1の火を利用する等して線香Ｆ2に点火し、この線香Ｆ2を線香立て１２に立てる。この場合、ロウソクＦ1は収容空間４内にあるので、風や雨の影響で消えにくくなっており、そのため、容易に線香Ｆ2に火をつけることができる。
【００２２】
この蓋体４０は、その内部に砂等の粒状物を溜めることにより、蓋体４０を線香立て１２として用いることができる。この際、墓参者が多く収容空間４内の線香立て１２に立てきれなくなるような場合においても、蓋体４０にも線香Ｆ2を立てることができるので、容易に線香Ｆ2を墓前に捧げられる。
その後、扉部３０の扉３３を閉める。この場合も、ロウソクＦ1や線香Ｆ2は収容空間４内にあって燃焼するので、風や雨の影響で消えてしまうことが防止される。このロウソクＦ1や線香Ｆ2の燃焼においては、空気が空気取入口１０から収容空間４内に流入し、空気排出口２０の排気塔２１から排気されていく。
【００２３】
この場合、図４に示すように、空気取入口１０が台板１に形成され、排気塔２１が天板３に設けられているので、空気が下から上に向かう上昇気流となり、そのため、空気の換気が円滑に行なわれる。これにより、空気の流れが良いことから、収容空間４内に熱がこもってしまうことが防止される。その結果、天板３が加熱されにくくなるので、急に雨が降ってきたり、遣り水がかけられたりするような場合に、天板３が割れてしまう事態が防止される。特に、天板３の内側面に、遮熱材２７が被覆されているので、天板３の加熱が確実に抑制され、割れてしまう事態が確実に防止される。
【００２４】
また、収容空間４内に熱がこもってしまうことが防止されるので、扉部３０の枠体３１，扉３３のフレーム３４や透明板３５が加熱されて変形してしまうような事態も防止される。更に、空気の流れが良いことから、ロウソクＦ1や線香Ｆ2の燃焼が良く行なわれ、そのため、ススが出にくくなるので、ススが側壁２や天板３の内面に付着して外観品質を悪くしてしまう事態が防止される。更にまた、ロウソクＦ1が大きいような場合でも、ロウソクＦ1自体が変形してしまう等、燃焼物Ｆに悪影響を与える事態が防止される。
【００２５】
更にまた、空気排出口２０に、排出される空気を導く排気塔２１が設けられているので、排気塔２１が煙突として機能し、そのため、より一層、空気の換気が円滑に行なわれ、収容空間４内に熱がこもってしまうことが防止される。
また、この排気塔２１に、屋根部２４を被冠し、差込部２２と空気排出口２０との隙間を覆う鍔２６を設けたので、収容空間４内への雨水の侵入や木の葉等のごみの侵入が防止される。
また、排気塔２１を取付けたので、全体の見映えも良くなり、外観品質が向上させられる。この墓用灯明台を使用しないときに、掃除する場合には、扉３３を開けて、この状態で収容空間４内に水を流せば良い。この場合、空気取入口１０から水が流れ出すので、内部のごみを流し出すことができ、極めて容易に掃除を行なうことができる。
【００２６】
その後、墓参を終えたならば、ロウソクＦ1等の燃焼物Ｆを消す等し、空気排出口２０を蓋体４０で覆う。この際、蓋体４０は、開放口４１側を天板３の上面に載置し、蓋体４０の内部に排気塔２１を収容する。この状態においては、激しい雨や風雨の場合であっても、蓋体４０で空気排出口２０全体が覆われるので、雨水が蓋体４０で遮られる。これにより、雨水が空気排出口２０に入り込まなくなり、雨水等の収容空間４内への侵入を確実に防止できる。
また、開放口４１端縁及び底部４２の両方を平面に形成したので、簡単な構造で、開放口４１端縁及び底部４２の両方を天板３に載置可能に形成することができ、製造コストの低減を行なうことができる。
更にまた、この墓用灯明台にあっては、蓋体４０が、石で円筒形状に形成され、また、表面が研磨されて光沢があるので、外観品質が向上させられ、見栄えが良好になる。
【００２７】
尚、上記実施の形態において、台板１，側壁２や天板３の形状は上述したものに限定されるものではなく、適宜変更して差し支えない。また、蓋体４０，扉部３０や排気塔２１等の形態も上述したものに限定されず、適宜変更して良い。
【図面の簡単な説明】
【００２８】
【図１】本考案の実施の形態に係る墓用灯明台を示す側面断面図である。
【図２】本考案の実施の形態に係る墓用灯明台を示す斜視図である。
【図３】本考案の実施の形態に係る墓用灯明台の外観を示す斜視図である。
【図４】本考案の実施の形態に係る墓用灯明台を使用状態とともに示す側面断面図である。
【図５】本考案の実施の形態に係る墓用灯明台を使用状態とともに示す斜視図である。
【図６】従来の墓用灯明台の一例を示す図である。
【符号の説明】
【００２９】
Ｆ  燃焼物
Ｆ1  ロウソク
Ｆ2  線香
１  台板
２  側壁
３  天板
４  収容空間
５  開口
１０  空気取入口
１１  ロウソク立て
１２  線香立て
１３  嵌挿口
１４  凹部
１５  空気通路
２０  空気排出口
２１  排気塔
２２  差込部
２３  網状体
２４  屋根部
２５  ばね部材
２６  鍔
２７  遮熱材
３０  扉部
３１  枠体
３２  ヒンジ
３３  扉
３４  フレーム
３５  透明板
３６  ロック部
３７  ノブ
３８  フランジ
３９  嵌合溝
４０  蓋体
４１  開放口
４２  底部
【図１】
0003121075.tif 000003
【図２】
0003121075.tif 000004
【図３】
0003121075.tif 000005
【図４】
0003121075.tif 000006
【図５】
0003121075.tif 000007
【図６】
0003121075.tif 000008